(57)【要約】【課題】  文書作成者が、自ら端末を操作しなければ、作成途中の文書の存在を知ることができないという課題、および、作成途中の文書の編集に即座に着手できないという課題を解決する。【解決手段】  本発明のイメージ編集装置は、入力部と、表示部と、記憶部と、制御部と、時刻発生部とを含み、文字及び画像を含むイメージを編集するイメージ編集装置であって、入力部は制御部にイメージを入力し、記憶部はイメージを保存イメージとして保存し、表示部はイメージを表示し、時刻発生部は現在時刻を発生し、制御部は、記憶部から保存イメージをイメージとして読み出し、イメージを編集し、所定の起動時刻を設定し、現在時刻が起動時刻に到達すると、表示部に保存イメージの編集画面を表示する。【選択図】      図１
2010072912.tif 000002
【特許請求の範囲】
【請求項１】
入力部と、表示部と、記憶部と、制御部と、時刻発生部とを含み、文字及び画像を含むイメージを編集するイメージ編集装置であって、
前記入力部は前記制御部に前記イメージを入力し、
前記記憶部は前記イメージを保存イメージとして保存し、
前記表示部は前記イメージを表示し、
前記時刻発生部は現在時刻を発生し、
前記制御部は、
前記記憶部から前記保存イメージを前記イメージとして読み出し、
前記イメージを編集し、
所定の起動時刻を設定し、
前記現在時刻が前記起動時刻に到達すると、前記表示部に前記保存イメージの編集画面を表示する、
ことを特徴とする、イメージ編集装置。
【請求項２】
前記記憶部は、さらに、前記保存イメージを保存した時刻を保存時刻として記憶し、
前記制御部は、前記保存時刻に基づき、前記起動時刻を設定する、
ことを特徴とする、請求項１に記載のイメージ編集装置。
【請求項３】
前記記憶部は、さらに、前記保存時刻から前記保存イメージの編集画面を表示するまでの時間である編集待ち時間を記憶し、
前記制御部は、前記保存時刻の後、前記編集待ち時間が経過した時刻を前記起動時刻として設定する、
ことを特徴とする、請求項２に記載のイメージ編集装置。
【請求項４】
前記制御部は、前記現在時刻が前記起動時刻に到達すると、少なくとも２つの前記保存イメージの編集画面を、前記表示部上に同時に表示する、
ことを特徴とする、請求項１乃至３のいずれかに記載のイメージ編集装置。
【請求項５】
前記制御部は、前記現在時刻が前記起動時刻に到達すると、少なくとも２つの前記保存イメージの編集画面を、前記保存イメージ毎に、前記表示部上に順次表示することを特徴とする、請求項１乃至４のいずれかに記載のイメージ編集装置。
【請求項６】
制御部にイメージを入力するステップと、
前記イメージを保存イメージとして記憶部に保存するステップと、
前記イメージを表示部に表示するステップと、
現在時刻を発生するステップと、
前記保存イメージを前記イメージとして前記記憶部から読み出すステップと、
前記イメージを編集するステップと、
所定の起動時刻を設定するステップと、
前記現在時刻が前記起動時刻に到達すると、前記表示部に前記保存イメージの編集画面を表示するステップと、
を備えることを特徴とする、イメージ編集方法。
【請求項７】
前記保存イメージを保存した時刻を保存時刻として前記記憶部に記憶するステップと、
前記保存時刻に基づき、前記起動時刻を設定するステップと、
をさらに含むことを特徴とする、請求項６に記載のイメージ編集方法。
【請求項８】
前記保存時刻から前記保存イメージの編集画面を表示するまでの時間である編集待ち時間を前記記憶部に記憶するステップと、
前記保存時刻の後、前記編集待ち時間が経過した時刻を前記起動時刻として設定するステップと、
をさらに含むことを特徴とする、請求項７に記載のイメージ編集方法。
【請求項９】
前記現在時刻が前記起動時刻に到達すると、少なくとも２つの前記保存イメージの編集画面を同時に前記表示部に表示するステップを備えることを特徴とする、請求項６乃至８のいずれかに記載のイメージ編集方法。
【請求項１０】
前記現在時刻が前記起動時刻に到達すると、少なくとも２つの前記保存イメージの編集画面を、前記保存イメージ毎に順次前記表示部に表示するステップを備えることを特徴とする、請求項６乃至９のいずれかに記載のイメージ編集方法。
【請求項１１】
イメージ編集装置を制御するコンピュータを、
イメージを入力する手段、
前記イメージを保存イメージとして保存する手段、
前記イメージを表示する手段、
前記保存する手段から前記保存イメージを前記イメージとして読み出す手段、
前記イメージを編集する手段、
所定の起動時刻を設定する手段、
所定の時刻発生手段が発生する現在時刻が前記起動時刻に到達すると、前記表示する手段に前記保存イメージの編集画面を表示する手段、
として機能させるための、イメージ編集装置の制御プログラム。
【発明の詳細な説明】
【技術分野】
【０００１】
本発明は、作成途中のイメージを保存する機能を備えたイメージ編集装置、イメージ編集方法及びイメージ作成プログラムに関する。
【背景技術】
【０００２】
携帯電話等の携帯端末には、作成途中の電子メール等の文書を保存する機能を有しているものがある。このような端末では、文書作成者は一旦保存した作成途中の文書を後になって読み出し、当該文書の作成を継続することができる。
【０００３】
特許文献１は、特定のキーをユーザが押下するとイベントのリストを表示する移動体通信端末を記載している。特許文献１に記載の移動体通信端末は、文書作成者が「文書作成途中のメールを呼び出す」というイベントを選択すると、選択されたイベントの処理に遷移する。
【０００４】
また、特許文献２は、現在時刻が所定のアラーム時刻に一致すると、アラーム音や表示灯の点灯により、未送信メールが保存されていることを報知する情報処理装置を記載している。
【０００５】
【特許文献１】特開２００１−１３６２６１号公報（第３頁）
【特許文献２】特開平０６−１８７２９２号公報（第２頁）
【発明の開示】
【発明が解決しようとする課題】
【０００６】
文書作成者は、端末に下書き文書を保存して編集作業を終了した後は、自ら端末を操作して保存内容を確認しない限り、下書き文書が端末に保存されていることを知ることができない。その結果、文書作成者は、電子メール等の文書を作成途中で中断して下書きとして端末に保存した後、下書き文書を未送信のまま放置してしまうことがある。この場合、たとえば文書が電子メールであったとすると、電子メールの受信者が、文書作成者から必要な連絡を適切な時期に受信できないという不都合が生じる。
【０００７】
このように、端末を用いて文書を作成する場合には、文書作成者が、端末を操作しなければ、作成途中の文書の存在を知ることができないという課題がある。
【０００８】
また、文書作成者は、文書を編集するためには、文書を編集する機能を起動するための操作を行う必要がある。このため、作成途中の文書の存在を知った後、文書作成者が即座に作成途中の文書の編集に着手できないという課題もある。
【０００９】
特許文献１に記載の移動体通信端末は、ユーザが特定のキーを押下することによって、作成途中のメールを呼び出すというものである。すなわち、特許文献１記載の構成においては、端末を操作しない限り、ユーザは作成途中のメールの存在を知ることができない。従って、特許文献１に記載の構成には、文書作成者が、保存内容を確認しなければ、作成途中の文書の存在を知ることができないという課題がある。また、特許文献１に記載の構成は、文書作成途中のメールを呼び出す操作を、文書作成者が行う必要がある。従って、特許文献１に記載の構成には、作成途中の文書の編集に文書作成者が即座に着手できないという課題がある。
【００１０】
また、特許文献２に記載の構成は、所定の時刻になると、アラーム音や表示灯の点灯により、未送信メールの存在を報知するというものである。しかしながら、特許文献２に記載の情報処理装置において、未送信メールの存在はブザー音等で装置使用者に通知されるのみである。すなわち、特許文献２に記載の構成は、装置使用者が文書の編集を即座に開始するための構成を備えていない。従って、特許文献２に記載の構成には、文書作成者が、作成途中の文書の存在を知った後即座に作成途中の文書の編集に着手できないという課題がある。
【００１１】
本発明の目的は、上に述べたような、文書作成者が、自ら端末を操作しなければ、作成途中の文書の存在を知ることができないという課題、および、作成途中の文書の編集に即座に着手できないという課題を解決するためのイメージ編集装置、イメージ編集方法およびイメージ編集プログラムを提供することにある。
【課題を解決するための手段】
【００１２】
本発明のイメージ編集装置は、入力部と、表示部と、記憶部と、制御部と、時刻発生部とを含み、文字及び画像を含むイメージを編集するイメージ編集装置であって、入力部は制御部にイメージを入力し、記憶部はイメージを保存イメージとして保存し、表示部はイメージを表示し、時刻発生部は現在時刻を発生し、制御部は、記憶部から保存イメージをイメージとして読み出し、イメージを編集し、所定の起動時刻を設定し、現在時刻が起動時刻に到達すると、表示部に保存イメージの編集画面を表示する。
【００１３】
また、本発明のイメージ編集方法は、制御部にイメージを入力するステップと、イメージを保存イメージとして保存するステップと、イメージを表示するステップと、現在時刻を発生するステップと、保存イメージをイメージとして読み出すステップと、イメージを編集するステップと、所定の起動時刻を設定するステップと、現在時刻が起動時刻に到達すると、表示部に保存イメージの編集画面を表示するステップと、を備える。
【００１４】
また、本発明のイメージ編集装置の制御プログラムは、イメージ編集装置を制御するコンピュータを、制御部にイメージを入力する手段、イメージを保存イメージとして保存する手段、イメージを表示する手段、保存する手段から保存イメージをイメージとして読み出す手段、イメージを編集する手段、所定の起動時刻を設定する手段、所定の時刻発生手段が発生する現在時刻が起動時刻に到達すると、表示する手段に保存イメージの編集画面を表示する手段、として機能させる。
【発明の効果】
【００１５】
本発明には、イメージ作成者が、イメージ編集装置を操作することなく、作成途中のイメージがあるかどうかを知ることができるという効果がある。また、イメージ作成者が、作成途中のイメージの編集に即座に着手できるという効果もある。
【発明を実施するための最良の形態】
【００１６】
（第１の実施形態）
図１は、本発明のイメージ編集装置の、第１の実施形態の構成を示す図である。第１の実施形態は、本発明を電子メールの送受信機能を有する携帯端末１００に適用したものである。
【００１７】
携帯端末１００は、送受信アンテナ１、送受信部２、制御部３、表示部４、入力部５、記憶部６及び時刻発生部７を備える。
【００１８】
送受信部２は、制御部３から入力された電子メールのデータを送信信号に変調し、送受信アンテナ１を用いて、電子メールの宛先に、送信信号を無線送信する。また、送受信アンテナ１から受信した受信信号を復調し、電子メールのデータとして制御部３に入力する。
【００１９】
制御部３は、ＣＰＵ（Central Processing Unit。中央処理装置）３１を備える。ＣＰＵ３１は、制御プログラム６４に従って、携帯端末１００の全体を制御する。
【００２０】
制御プログラム６４は、プログラム記憶部６３に記憶される。制御プログラム６４は、入力された文書を編集し、表示し、保存する文書編集機能６５、所定の時刻に文書編集機能を起動する自動起動機能６６、電子メールを送受信する電子メール送受信機能６７及び携帯端末１００を監視・制御する監視制御機能６８を備える。
【００２１】
記憶部６は、半導体メモリ、ハードディスク等の記憶デバイスである。記憶部６は、メール記憶部６１、設定記憶部６２、プログラム記憶部６３を備えている。メール記憶部６１は、受信した電子メール及び作成途中の電子メールのデータを記憶する。設定記憶部６２は、文書編集機能６５及び自動起動機能６６の動作設定情報を記憶する。動作設定情報には、たとえば、後述する編集待ち時間がある。
【００２２】
表示部４は、ＣＰＵ３１の制御によって、編集中の電子メール、受信した電子メールまたは携帯端末１００の設定内容等を表示する。表示部４は、たとえば、液晶ディスプレイである。
【００２３】
入力部５は、文字を入力する手段である。入力部５は、たとえば、キーパッドや、キーボードである。
【００２４】
時刻発生部７は、時計の機能を備え、現在時刻を発生する。
【００２５】
文書作成者は、電子メールを編集する際に、文書編集機能６５を起動する。文書編集機能６５は、表示部４に編集画面を表示させる。そして、文書作成者は、入力部５を用いて文書編集機能６５に文字を入力する。また、文書作成者は、入力部５を用いて、文字の挿入または削除、電子メールの保存等の指示を文書編集機能６５に入力する。文書編集機能６５は、入力部５から入力された文字及び指示に従って、電子メールのデータを編集する。文書作成者は、作成中の電子メールのデータを、必要に応じて下書きメールとしてメール記憶部６１に保存する。
【００２６】
時刻発生部７が発生する現在時刻が、後述する起動時刻になると、自動起動機能６６は、文書編集機能６５を起動する。そして、文書編集機能６５は、表示部４上に、メール記憶部６１に保存されている下書きメールの編集画面を表示する。これにより、文書作成者は、下書きメールが携帯端末１００に保存されていることを容易に知ることができる。また、文書作成者は、編集画面から直ちに下書きメールの編集を再開できる。
【００２７】
なお、編集画面を表示する際には、さらに、音声、発光、振動等を用いて文書作成者に編集画面の起動を通知してもよい。
【００２８】
図２は、本発明の第１の実施形態における、制御部３の動作の流れを示すフローチャートである。
【００２９】
文書作成者は、入力部５から、下書きメールの保存後、その下書きメールの編集画面を自動的に表示するまでの「編集待ち時間」を制御部３に入力する。たとえば、文書作成者は、入力部５を用いて、その編集待ち時間の値を「６時間」と制御部３に入力する。制御部３は、入力された編集待ち時間の値を、設定記憶部６２に保存する［ステップＳ１］。
【００３０】
制御部３は、文書編集機能６５を起動する［ステップＳ２］。文書編集機能６５は、表示部４に編集の対象となる電子メールの編集画面を表示する。文書作成者は、入力部５を用いて、文字や電子メールの編集指示を入力する。編集指示には、文字の挿入や削除の指示、下書きメールを保存する指示などがある。制御部３は、文書編集機能６５を用いて、入力された文字及び編集指示に基づき、電子メールのデータを作成する［ステップＳ３］。
【００３１】
制御部３は、文書作成者の指示に基づき、編集中の電子メールを送信するかどうかを判断する［ステップＳ４］。編集した電子メールを送信する場合は［ステップＳ４：送信する］、制御部３は電子メール送受信機能６７を起動する。そして、電子メール送受信機能６７は、電子メールを送信する［ステップＳ１１］。電子メールの送信後、制御部３は、送信した電子メールの下書きファイルがメール記憶部６１に残っていれば消去して［ステップＳ１２］、処理は終了する。
【００３２】
制御部３は、編集した電子メールを送信しない場合［ステップＳ４：送信しない］、文書作成者の指示に基づき、編集中の電子メールを下書きとして保存するかどうかを判断する［ステップＳ５］。下書きメールを保存しないで編集作業を終了する場合［ステップＳ５：保存しない］は、制御部３は、メール記憶部６１に送信した電子メールの下書きファイルが残っていれば消去して［ステップＳ１２］編集作業を終了する。
【００３３】
編集中の文書を保存する場合［ステップＳ５：保存する］は、制御部３は、作成途中の電子メールを下書きメールとして、その下書きメールを保存した保存時刻とともに、メール記憶部６１へ保存する［ステップＳ６］。
【００３４】
制御部３は、自動起動機能６６を用いて、保存した下書きメールの編集画面を自動的に起動させる時刻である「起動時刻」を計算する［ステップＳ７］。第１の実施形態においては、保存時刻から編集待ち時間が経過した時刻を起動時刻としている。起動時刻は、下書きメールごとに対応付けられて、設定記憶部６２に保存される。
【００３５】
ここで、保存された下書きメールが過去にも保存されていた場合、前回保存時に計算されて設定記憶部６２に保存されている起動時刻は、今回計算された起動時刻で上書きされる。
【００３６】
制御部３は、保存されている下書きメールごとに、現在時刻が起動時刻を過ぎたかどうかを、自動起動機能６６を用いて監視する［ステップＳ８］。現在時刻が起動時刻に到達すると［ステップＳ８：Ｙｅｓ］、自動起動機能６６は、文書編集機能６５を起動する［ステップＳ１０］。起動した文書編集機能６５は、起動時刻が超過した下書きメールの編集画面を表示する。そして、［ステップＳ２］に戻り、文書編集機能６５による電子メールの編集が繰り返される。
【００３７】
現在時刻が起動時刻に到達してない場合は、自動起動機能６６は、文書編集機能６５を起動させない。そして、自動起動機能６６は、文書作成者が文書編集機能６５を起動させたかを監視する［ステップＳ９］。
【００３８】
文書作成者が文書編集機能６５を起動させると［ステップＳ９：Ｙｅｓ］、［ステップＳ２］に戻り、文書編集機能６５による電子メールの編集が繰り返される。
【００３９】
図３は、本発明のイメージ編集装置の第１の実施形態において、下書き保存したメールの作成画面を、文書編集機能６５が自動的に表示した画面を示す図である。図３において、表示部４には、下書きメールの保存日時及び下書きメールの内容が表示されている。
【００４０】
ここで、第１の実施形態の変形例として、下書きメールの保存時刻にかかわらず、現在の時刻がある基準時刻に到達した地点で、自動起動機能６６が、文書編集機能６５を起動してもよい。たとえば、基準時刻を午前９時、午後３時及び午後９時と設定し、午後１１時に下書きメールを保存したとする。この場合、下書きメールの保存後、最初に到来する基準時刻は午前９時であるので、午前９時になると、自動起動機能６６が下書きメールの編集画面が自動的に表示部４に表示する。このように、第１の実施形態の変形例においては、自動起動機能６６が下書きメールの編集画面を表示する時刻が固定されている。その結果、文書作成者が携帯端末を操作できない時間帯に、下書きメールの編集画面が表示されることを回避できる。
【００４１】
以降、文書作成者が電子メールの編集と下書きメールの保存を繰り返す場合は、［ステップＳ２］〜［ステップＳ９］の間のフローが繰り返される。
【００４２】
以上に説明した第１の実施形態では、文書作成者が下書きメールを保存した後、文書編集機能６５を起動しないまま設定した編集待ち時間が経過すると、携帯端末１００は、下書き保存したメールの編集画面を、表示部４に自動的に表示する。
【００４３】
従って、本発明の第１の実施形態においては、文書作成者が、携帯端末１００を操作することなく、容易に下書きメールが保存されていることを知ることができる。その結果、文書作成者が、下書きメールを作成途中で未送信のまま放置してしまうことがなくなるという効果がある。すなわち、第１の実施形態には、記憶部の内部を検索することなく、文書作成者が、下書きメールが存在するかどうかを知ることができるという効果がある。さらに、文書作成者は、下書きメールの存在を知った後、下書きメールの編集を即座に開始できるという効果もある。
（第２の実施形態）
図４は、本発明のイメージ編集装置の第２の実施形態として、複数の下書きメールの編集画面を分割して表示した例である。図４においては、表示部４は、４つの下書きメールの編集画面を同時に表示する。
【００４４】
第２の実施形態では、下書きメールが複数ある場合に、それぞれの電子メールの編集画面を同時に表示部４に表示することができる。ここで、同時に表示する下書きメールの編集画面は４つでなくともよく、さらに、それぞれの画面上の大きさが異なっていてもよい。また、全ての下書きメールを同時に表示しなくともよい。たとえば、保存時刻が古い下書きメールから順に何件かの下書きメールの編集画面を表示するようにしてもよい。
【００４５】
この場合、たとえば、文書作成者が、同時に表示する下書きメールの編集画面の数を、あらかじめ設定記憶部６２に記憶させておく。そして、文書編集機能６５は、記憶されている編集画面の数に従い編集画面を表示する。このようにして、自動的に同時に表示され下書きメールの個数を設定することができる。
【００４６】
文書作成者は、表示された４つの画面から、編集したい下書きメールを選択する。下書きメールを選択する手段としては、下書きメールの番号をキー入力部から入力する方法や、メールの編集画面をキー入力部から選択する方法がある。さらに他の方法として、タッチパネルセンサを貼り付けた表示部４を用いて、編集したい画面に直接指やタッチペンで触れて下書きメールを選択する方法などもある。
【００４７】
第２の実施形態において、複数の下書きメールの編集画面を表示する手順の例を、以下に説明する。
【００４８】
まず、保存されている下書きメールのうち、最も起動時刻が早い下書きメールの起動時刻になると、複数の下書きメールの編集画面を起動させる手順が考えられる。この手順では、現在時刻がある下書きメールの起動時刻に達することにより、より保存時期が新しい下書きメールを含む、複数の下書きメールの編集画面が表示される。そして、いずれかの下書きメールが下書き保存された後、その下書きメールが保存された時点で起動時刻が最も早い他の下書きメールの起動時刻に現在時刻が到達すると、編集画面が再び表示される。
【００４９】
このように、第２の実施形態では、複数の下書きメールの編集画面を同時に表示しているので、第１の実施形態の効果に加えて、下書きメールが複数保存されている場合において、複数の下書きメールから容易に編集したいメールを選択できるという効果がある。
（第３の実施形態）
図５は、本発明のイメージ編集装置の第３の実施形態として、複数の下書きメールの編集画面を時間的に切り替えて表示した図である。たとえは、保存されている下書きメールがＡ、Ｂ、Ｃの３通ある場合、携帯端末１００は、１０秒ごとにＡ→Ｂ→Ｃ→Ａ→Ｂ→Ｃ→・・・と、編集画面の表示内容を切り替えながら、表示部４の全体に１件ずつ、順次表示する。そして、文書作成者は、編集したい下書きメールがあれば、その下書きメールの編集画面のみが表示部４に表示されるように、指定されたキー操作を行う。このキー操作により、表示部４は、その時点で順次表示を停止し、表示している下書きメールの編集画面に固定される。
【００５０】
上の説明では、表示の切り替え間隔は１０秒としたが、文書作成者があらかじめ設定記憶部６２に切り替え間隔を設定しておき、文書編集機能６５がその切り替え間隔で表示を切り替えるように動作することで、任意の時間間隔で表示を切り替えることができる。
【００５１】
また、指定されたキー操作により編集したい下書きメールを選択する方法としては、編集したい下書きメールが表示されている間に入力部５の特定のキーを押す方法のほかに、編集したい下書きメールが表示されているかどうかに関係なく、下書きメール番号をキー入力部から入力する方法がある。下書きメール番号をキー入力部から入力する方法では、下書きメール番号を入力すると、画面が編集したい下書きメールの編集画面に切り替わって固定される。
【００５２】
画面の固定後は、文書作成者は、第１の実施形態の図２に示した［ステップＳ３］以降の手順を繰り返す。
【００５３】
このように、第３の実施形態では、複数の下書きメールの編集画面を順次切り替えて表示しているので、下書きメールが複数保存されている場合において、複数の下書きメールから容易に編集したいメールを選択できるという第２の実施形態と同様の効果がある。
【００５４】
さらに、第３の実施形態では、複数の下書きメールの編集画面を、表示部４の全体に、１件ずつ順次表示しているので、各下書きメールを表示部４上に大きく表示することができる。このため、下書きメールを選択する際に各書きメールの内容の確認が容易であるという効果もある。
【００５５】
なお、複数の下書きメールがメール記憶部６１に記憶されている場合に、携帯端末１００が、第２及び第３のいずれの実施形態により下書きメールの存在を文書作成者に通知するかは、文書作成者が、任意に決めることができる。たとえば、文書作成者は、編集画面を、特定の固定された形態で表示するように設定記憶部に記憶させてもよいし、上記の第２及び第３の実施形態で説明したいずれの表示形態とするかを、ランダムに切り替えるようにしてもよい。いずれの場合においても、文書作成者は、編集画面の表示方法の設定を、入力部５から入力する。そして、制御部は、その内容を設定記憶部６２に記憶させる。
（第４の実施形態）
図６は、本発明のイメージ編集装置を、第４の実施形態として最低限の要素で実現した構成を示す図である。
【００５６】
図６において、イメージ編集装置２００は、入力部２１と、表示部２２と、記憶部２３と、制御部２４と、時刻発生部２５とを備える。
【００５７】
入力部２１は、キーボード等の入力機器であり、文書作成者は入力部２１から文字、画像を含むイメージ、及び、イメージの編集のための制御部２４への指示を入力する。
【００５８】
表示部２２はディスプレイ等のイメージ表示機器である。編集中のイメージは、表示部２２に表示される。
【００５９】
記憶部２３は、半導体メモリ、ハードディスク等の記憶デバイスである。記憶部２３は、編集待ち時間及び入力部２１から入力されたイメージを保存する。さらに、記憶部２３は、制御部の制御プログラムを記憶する。
【００６０】
時刻発生部は、現在時刻を発生する時計である。
【００６１】
制御部２４は、記憶部２３に記憶されている制御プログラムに基づき動作する。
【００６２】
また、制御部２４は、イメージ作成者による入力部２１からの入力に従い、イメージを編集する。また、制御部２４は、入力部２１、表示部２２及び記憶部２３を制御する。
【００６３】
さらに、制御部２４は、イメージを保存した後、表示部２２に編集画面を表示する起動時刻を設定する。そして、現在時刻が起動時刻に到達すると、制御部２４は、表示部２２に、記憶部２３で記憶しているイメージの編集画面を表示する。
【００６４】
このように、第４の実施形態で示したイメージ編集装置は、イメージを保存した後、所定の起動時刻に到達すると、自動的にそのイメージの編集画面を表示する。従って、第４の実施形態で示したイメージ編集装置も、自ら端末を操作しなければ、イメージ作成者が作成途中のイメージの存在を知ることができないという課題、および、イメージ作成者が、作成途中のイメージの編集に即座に着手できないという課題を解決する。
【００６５】
なお、第１の実施形態の変形例は、第２の実施形態及び第３の実施形態に対する変形例としても適用できる。すなわち、第２の実施形態及び第３の実施形態においても、下書きメールの保存時刻にかかわらず、現在時刻がある基準時刻に到達すると、下書きメールの編集画面を表示するようにしてもよい。
【００６６】
また、第２の実施形態及び第３の実施形態は、これらを組み合わせて実施してもよい。たとえば、下書きメールが８通ある場合、最初に４通の下書きメールの編集画面を同時に１つの画面に表示し、１０秒後に残りの４通の編集画面を１つの画面に表示することで、８通の下書きメールの編集画面を表示することができる。
【００６７】
さらに、第１〜第３の実施形態において「文書」と表現したものは、文字のみではなく、画像、写真等を含む「イメージデータ」であってもよい。さらに、「イメージデータ」は、画像、写真等のみを含むものであってもよい。
【００６８】
従って、イメージ編集装置やイメージ（画像）撮影装置に本発明を適用することによって、これらの装置が、作成したイメージデータの編集画面を所定の起動時刻になると自動的に表示することが可能になる。また、これらの装置の操作者が、イメージデータの編集を即座に開始することも可能になる。
【図面の簡単な説明】
【００６９】
【図１】本発明のイメージ編集装置の、第１の実施形態の構成を示す図である。
【図２】本発明の第１の実施形態における、制御部３の動作の流れを示すフローチャートである。
【図３】本発明のイメージ編集装置の第１の実施形態において、下書き保存したメールの作成画面を、文書編集機能が自動的に表示した画面を示す図である。
【図４】本発明のイメージ編集装置の第２の実施形態として、複数の下書きメールの編集画面を分割して表示した例である。
【図５】本発明のイメージ編集装置の第３の実施形態として、複数の下書きメールの編集画面を時間的に切り替えて表示した図である。
【図６】本発明のイメージ編集装置を、第４の実施形態として最低限の要素で実現した構成を示す図である。
【符号の説明】
【００７０】
１    アンテナ
【図１】
2010072912.tif 000003
【図２】
2010072912.tif 000004
【図３】
2010072912.tif 000005
【図４】
2010072912.tif 000006
【図５】
2010072912.tif 000007
【図６】
2010072912.tif 000008